【手続補正書】
【提出日】平成23年11月16日(2011.11.16)
【手続補正１】
【補正対象書類名】明細書
【補正対象項目名】発明の名称
【補正方法】変更
【補正の内容】
【発明の名称】画像処理方法、表示装置、およびコンピュータプログラム
【手続補正２】
【補正対象書類名】特許請求の範囲
【補正対象項目名】全文
【補正方法】変更
【補正の内容】
【特許請求の範囲】
【請求項１】
複数のフレーム画像で構成される動画像を処理する画像処理方法であり、
少なくとも１つのフレーム画像から、移動体を表示する移動体表示領域を抽出し、
当該フレーム画像について、前記移動体表示領域に含まれる画素と、前記移動体表示領域に含まれない画素とに異なる画像処理を行って、補正フレーム画像を作成し、
前記移動体表示領域に含まれない画素に行う画像処理は、ぼかし処理であることを特徴とする画像処理方法。
【請求項２】
複数のフレーム画像で構成される動画像を処理する画像処理方法であり、
補正対象となるターゲットフレーム画像と、前記ターゲットフレーム画像よりもｋフレーム前（ｋは１または２）のフレーム画像との差分画像をもとに、２値化された第１差分２値画像を作成し、
前記ターゲットフレーム画像と前記ターゲットフレーム画像よりもｋフレーム後のフレーム画像との差分画像をもとに、２値化された第２差分２値画像を作成し、
前記第１差分２値画像と前記第２差分２値画像との論理積から、移動体表示領域を抽出して、前記移動体表示領域と背景表示領域とでなるマスク画像を形成し、
前記ターゲットフレーム画像において、前記移動体表示領域に含まれる画素と同じ位置にある画素と、前記背景表示領域に含まれる画素と同じ位置にある画素とに、異なる画像処理を行って、補正フレーム画像を作成し、
前記背景表示領域に含まれる画素と同じ位置にある画素に行う画像処理は、ぼかし処理であることを特徴とする画像処理方法。
【請求項３】
請求項１において、
前記移動体表示領域に含まれる画素に対して、鮮鋭化処理、コントラスト強調処理、および輪郭強調処理のうちの少なくとも１つの画像処理を行うことを特徴とする画像処理方法。
【請求項４】
請求項２において、
前記移動体表示領域に含まれる画素と同じ位置にある画素に対して、鮮鋭化処理、コントラスト強調処理、および輪郭強調処理のうちの少なくとも１つの画像処理を行うことを特徴とする画像処理方法。
【請求項５】
請求項１乃至４のいずれか１項において、
前記ぼかし処理として、平均化処理、コントラストを弱めるコントラスト変換処理、ノイズ除去処理、およびモザイク処理の少なくとも１つの画像処理を行うことを特徴とする画像処理方法。
【請求項６】
複数のフレーム画像で構成される動画像を表示する画像表示部と、
少なくとも１つのフレーム画像から、移動体を表示する移動体表示領域を抽出する移動体領域抽出部と、
当該フレーム画像について、前記移動体表示領域に含まれる画素と、前記移動体表示領域に含まれない画素とに異なる画像処理を行って、補正フレーム画像を作成する補正フレーム画像作成部と、を有し、
前記移動体表示領域に含まれない画素に行う画像処理は、ぼかし処理であり、
前記画像表示部に、前記補正フレーム画像を表示することを特徴とする表示装置。
【請求項７】
複数のフレーム画像で構成される動画像を表示する画像表示部と、
補正対象となるターゲットフレーム画像と、前記ターゲットフレーム画像よりもｋフレーム前（ｋは１または２）のフレーム画像との差分画像をもとに２値化された第１差分２値画像を作成し、かつ、前記ターゲットフレーム画像と前記ターゲットフレーム画像よりもｋフレーム後のフレーム画像との差分画像をもとに２値化された第２差分２値画像を作成する差分２値画像作成部と、
前記第１差分２値画像と前記第２差分２値画像との論理積から、移動体表示領域を抽出し、前記移動体表示領域と背景表示領域とでなるマスク画像を形成するマスク画像作成部と、
前記ターゲットフレーム画像において、前記移動体表示領域に含まれる画素と同じ位置にある画素と、前記背景表示領域に含まれる画素と同じ位置にある画素とに、異なる画像処理を行って、補正フレーム画像を作成する補正フレーム画像作成部と、を有し、
前記背景表示領域に含まれる画素と同じ位置にある画素に行う画像処理は、ぼかし処理であり、
前記画像表示部に、前記補正フレーム画像を表示することを特徴とする表示装置。
【請求項８】
請求項６において、
前記移動体表示領域に含まれる画素に対して、鮮鋭化処理、コントラスト強調処理、および輪郭強調処理のうちの少なくとも１つの画像処理を行うことを特徴とする表示装置。
【請求項９】
請求項７において、
前記移動体表示領域に含まれる画素と同じ位置にある画素に対して、鮮鋭化処理、コントラスト強調処理、および輪郭強調処理のうちの少なくとも１つの画像処理を行うことを特徴とする表示装置。
【請求項１０】
請求項７又は９において、
前記ターゲットフレーム画像において、移動体表示領域の割合が５０％以上である場合、前記画像表示部に前記ターゲットフレーム画像を表示することを特徴とする表示装置。
【請求項１１】
請求項７又は９において、
前記ターゲットフレーム画像において、移動体表示領域の割合が５０％以上である場合、前記ターゲットフレーム画像全体に同じ画像処理を行い、
前記画像表示部に、当該画像処理を行ったターゲットフレーム画像を表示することを特徴とする表示装置。
【請求項１２】
請求項６乃至１１のいずれか１項において、
前記ぼかし処理として、平均化処理、コントラストを弱めるコントラスト変換処理、ノイズ除去処理、およびモザイク処理の少なくとも１つの画像処理を行うことを特徴とする表示装置。
【請求項１３】
動画像を構成するフレーム画像から、移動体を表示する移動体表示領域を抽出する処理と、
当該フレーム画像について、前記移動体表示領域に含まれる画素と、前記移動体表示領域に含まれない画素とに異なる画像処理を行って、補正フレーム画像を作成する処理と、を動画像の画像処理装置が実行するためのコンピュータプログラムであり、
前記移動体表示領域に含まれない画素に行う画像処理は、ぼかし処理であることを特徴とするコンピュータプログラム。
【請求項１４】
動画像を構成する複数のターゲットフレーム画像のうち、補正対象となるターゲットフレーム画像と、前記ターゲットフレーム画像よりもｋフレーム前（ｋは１または２）のフレーム画像との差分画像をもとに、２値化された第１差分２値画像を作成する処理と、
前記ターゲットフレーム画像と前記ターゲットフレーム画像よりもｋフレーム後のフレーム画像との差分画像をもとに、２値化された第２差分２値画像を作成する処理と、
前記第１差分２値画像と前記第２差分２値画像との論理積から、移動体表示領域を抽出し、前記移動体表示領域と背景表示領域とでなるマスク画像を形成する処理と、
前記ターゲットフレーム画像において、前記移動体表示領域に含まれる画素と同じ位置にある画素と、前記背景表示領域に含まれる画素と同じ位置にある画素とに、異なる画像処理を行って、補正フレーム画像を作成する処理と、を動画像の画像処理装置が実行するためのコンピュータプログラムであり、
前記背景表示領域に含まれる画素に行う画像処理は、ぼかし処理であることを特徴とするコンピュータプログラム。
【請求項１５】
請求項１３において、
前記移動体表示領域に含まれる画素に対して、鮮鋭化処理、コントラスト強調処理、および輪郭強調処理のうちの少なくとも１つの画像処理を行うことを特徴とするコンピュータプログラム。
【請求項１６】
請求項１４において、
前記移動体表示領域に含まれる画素と同じ位置にある画素に対して、鮮鋭化処理、コントラスト強調処理、および輪郭強調処理のうちの少なくとも１つの画像処理を行うことを特徴とするコンピュータプログラム。
【請求項１７】
請求項１３乃至１６のいずれか１項において、
前記ぼかし処理として、平均化処理、コントラストを弱めるコントラスト変換処理、ノイズ除去処理、およびモザイク処理の少なくとも１つの画像処理を行うことを特徴とするコンピュータプログラム。